(57)【要約】【課題】消費電力の削減が難しかったＩＰ電話機において、大幅な消費電力の削減を可能にする。【解決手段】ネットワークに接続された複数のＩＰ電話機の消費電力削減方法であり、複数のＩＰ電話機のうち少なくとも１台を除き、ネットワークがアイドル状態に移行したことを検知すると、自身の電話機本体をスリープ状態に移行させるステップを含む。複数のＩＰ電話機の機器情報を基に複数のＩＰ電話機のうち少なくとも１台にはスリープ状態への移行を許可せず、それ以外には許可するステップを更に含んでもよい。【選択図】図１
2014123876.tif 000002
【特許請求の範囲】
【請求項１】
ネットワークに接続された複数のＩＰ電話機の消費電力削減方法であって、前記複数のＩＰ電話機のうち少なくとも１台を除き、前記ネットワークがアイドル状態に移行したことを検知すると、自身の電話機本体をスリープ状態に移行させるステップを含む消費電力削減方法。
【請求項２】
前記ＩＰ電話機のうち少なくとも１台にはスリープ状態への移行を許可せず、それ以外には許可するステップを更に含み、スリープ状態への移行が許可されているＩＰ電話機に対して前記移行させるステップを実行することを特徴とする請求項１に記載の消費電力削減方法。
【請求項３】
スリープ状態にあるＩＰ電話機に対する着信を検知すると、該ＩＰ電話機にスリープ状態からの復旧を開始させると共に、スリープ状態にないＩＰ電話機に着信を転送し、転送先での通話開始前に前記復旧が完了すれば、復旧したＩＰ電話機に前記着信の転送先を替えるステップを更に含むことを特徴とする請求項１又は２に記載の消費電力削減方法。
【請求項４】
スリープ状態にあるＩＰ電話機が使用者からの電話機操作を検知すると、スリープ状態からの復旧を開始するステップを更に含むことを特徴とする請求項１乃至３のいずれか１項に記載の消費電力削減方法。
【請求項５】
前記アイドル状態への移行がＩＥＥＥ８０２．３ａｚ規格に従って行われることを特徴とする請求項１乃至４のいずれか１項に記載の消費電力削減方法。
【請求項６】
ネットワークに接続された複数のＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する複数のＩＰ電話機と、
前記複数のＩＰ電話機のうち少なくとも１台にはスリープ状態への移行を許可せず、それ以外には許可するＩＰ電話機制御装置と、
を備えるＩＰ電話機システム。
【請求項７】
ネットワークに接続されたＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持するＩＰ電話機。
【請求項８】
ネットワークに接続された複数のＩＰ電話機のうち少なくとも１台には、前記ネットワークがアイドル状態に移行したことを検知した場合にスリープ状態に移行することを許可せず、それ以外のＩＰ電話機には許可するＩＰ電話機制御装置。
【請求項９】
ネットワークに接続されたＩＰ電話機の消費電力削減プログラムであって、
コンピュータに、
スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する機能を実現させる消費電力削減プログラム。
【請求項１０】
ネットワークに接続された複数のＩＰ電話機の消費電力削減プログラムであって、
コンピュータに、
前記複数のＩＰ電話機のうち少なくとも１台には、前記ネットワークがアイドル状態に移行したことを検知した場合にスリープ状態に移行することを許可せず、それ以外のＩＰ電話機には許可する機能を実現させる消費電力削減プログラム。
【発明の詳細な説明】
【技術分野】
【０００１】
本発明はＩＰ(Internet Protocol)電話機の消費電力を削減する方法、並びにその方法を使用するＩＰ電話機及びＩＰ電話機システムに関する。
【背景技術】
【０００２】
従来、ＰＢＸシステムやボタン電話システムなどの構内電話システムにおいて用いられるＩＰ電話機は、使用状況によらず常に着信を受けられるように、通常状態を保つ必要があった。そのため、例えばオフィス環境において、通常（平日昼間等）時よりも使用頻度の極端に低い夜間、休日などでも、通常時と同程度の待機電力を消費していた。
【０００３】
ＩＰ電話機は着信に対し常に短い遅延時間で応答しなければならない機器のため、復旧に時間のかかるスリープ状態にすることができなかった。そのため、使用頻度が低い夜間などでも、昼間と同じくほとんどの機能を動作可能な状態にしておく必要があった。
【０００４】
スリープ機能を持ったＩＰ電話機もあったが、ＬＥＤの輝度を落とす、画面をスクリーンセイバーにする等の微少な電力低減しか行うことが出来なかった。
【０００５】
ＩＥＥＥ８０２．３ａｚ規格に規定されたＥＥＥ(Energy Efficient Ethernet(登録商標))を実装することにより、データ伝送がない時に物理層（ＰＨＹとも記す）の電力を削減することは可能になったが、ＩＰ電話機などの許容遅延時間の短い機器では、ＥＥＥのアイドル状態に連動してＩＰ電話機本体をスリープ状態にすることが出来なかった。
【先行技術文献】
【特許文献】
【０００６】
【特許文献１】特開２０１１−１９９４７０号公報
【特許文献２】特開２０１１−０４９８９４号公報
【特許文献３】特開２００９−１４７５０３号公報
【特許文献４】特開２００９−０８８８３３号公報
【発明の概要】
【発明が解決しようとする課題】
【０００７】
本発明の目的は、消費電力の削減が難しかったＩＰ電話機において、大幅な消費電力の削減を可能にすることにある。
【課題を解決するための手段】
【０００８】
上記目的を達成するために、本発明の方法は、ネットワークに接続された複数のＩＰ電話機の消費電力削減方法であって、前記複数のＩＰ電話機のうち少なくとも１台を除き、前記ネットワークがアイドル状態に移行したことを検知すると、自身の電話機本体をスリープ状態に移行させるステップを含む。
【０００９】
また、本発明のＩＰ電話機システムは、ネットワークに接続された複数のＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する複数のＩＰ電話機と、前記複数のＩＰ電話機のうち少なくとも１台にはスリープ状態への移行を許可せず、それ以外には許可するＩＰ電話機制御装置とを備える。
【００１０】
また、本発明のＩＰ電話機は、ネットワークに接続されたＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する。
【００１１】
また、本発明のＩＰ電話機制御装置は、ネットワークに接続された複数のＩＰ電話機のうち少なくとも１台には、前記ネットワークがアイドル状態に移行したことを検知した場合にスリープ状態に移行することを許可せず、それ以外のＩＰ電話機には許可する。
【００１２】
また、本発明のプログラムは、ネットワークに接続されたＩＰ電話機の消費電力削減プログラムであって、コンピュータに、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する機能を実現させる。
【００１３】
また、本発明の別のプログラムは、ネットワークに接続された複数のＩＰ電話機の消費電力削減プログラムであって、コンピュータに、前記複数のＩＰ電話機のうち少なくとも１台には、前記ネットワークがアイドル状態に移行したことを検知した場合にスリープ状態に移行することを許可せず、それ以外のＩＰ電話機には許可する機能を実現させる。
【発明の効果】
【００１４】
本発明により、消費電力の削減が難しかったＩＰ電話機において、大幅な消費電力の削減が可能になった。
【図面の簡単な説明】
【００１５】
【図１】本発明の実施形態によるＩＰ電話機システムの構成を示すブロック図である。
【図２】図１のＩＰ電話機システムにおいて実行されるＩＰ電話機の消費電力削減方法のフローチャートである。
【図３】図１のＩＰ電話機システムにおいて実行されるＩＰ電話機の消費電力削減方法の他のフローチャートである。
【図４】図１のＩＰ電話機システムにおいて実行されるＩＰ電話機の消費電力削減方法の更に他のフローチャートである。
【発明を実施するための形態】
【００１６】
以下、図面を参照して本発明の実施の形態を説明する。以下の実施の形態では、ＩＥＥＥ８０２．３ａｚ規格に準拠した機器を用いて説明しているが、これは例示であり、特定の規格に限定されるものではない。
【００１７】
まず、ＩＥＥＥ８０２．３ａｚ規格として標準化されているＥＥＥ(Energy Efficient Ethernet(登録商標))について簡単に説明する。ＥＥＥの省電力の仕組みは、ネットワークのトラフィックが少ないときにイーサネット(登録商標)機器の消費電力を減らすというものである。データが流れなくなるとデータリンク層の機能の一部を停止する、ＬＰＩ(Low Power Idle)という手法や、トラフィックが少なくなったとき、物理層のチップを制御して消費電力を削減する、ＲＰＳ(rapid PHY selection)という手法がある。
【００１８】
本明細書において「ネットワークがアイドル状態にある」とは、ネットワークに接続された機器における物理層やデータリンク層に属する機能の一部又は全部が停止又は抑制された状態にあることをいう。このようなアイドル状態は、例えば、ＩＥＥＥ８０２．３ａｚ規格のＥＥＥにより実現できる。また、本明細書において「ＩＰ電話機がスリープ状態にある」とは、物理層やデータリンク層も含めて全ての階層を対象にその機能の一部又は全部が停止又は抑制された状態にあることをいう。
【００１９】
下記の実施の形態では、ＰＢＸシステムやボタン電話システムなどの構内電話システムにおいて、ＩＥＥＥ８０２．３ａｚ規格を利用して、ＩＰ電話機の省電力制御を行う。例えば、オフィス環境において、夕刻や休日出勤時等のように、人はいるが通常（平日昼間等）時よりはかなり人数が少ない場合などに有効である。具体的には、例えばＬＰＩにおいてアイドル状態になったことをトリガーとして、ＩＰ電話機１台を残して、残りのＩＰ電話機をスリープ状態とすることによってＩＰ電話機システムの省電力を実現する。
【００２０】
［構成の説明］
図１は本発明の実施形態による消費電力削減方法を実施するＩＰ電話機システムの構成を示す。図１において、ＩＰ電話機システム１００は、ＩＰ電話機制御装置１０と、ＥＥＥ対応のネットワーク中継機２０と、ＥＥＥ対応のＩＰ電話機３０〜３３とを具備する。ＩＰ電話機制御装置１０は、交換機やＳＩＰサーバなどのような、ＩＰ電話機及び外部ネットワーク等を制御する装置である。ＥＥＥ対応ネットワーク中継機２０は、ＩＥＥＥ８０２．３ａｚ：ＥＥＥ規格に準拠したルータ、スイッチ、ブリッジ、ハブなどのような、ネットワーク機器の接続に用いられる装置である。ＥＥＥ対応ＩＰ電話機３０〜３３は、ＩＥＥＥ８０２．３ａｚ：ＥＥＥ規格に準拠し、ＬＥＤやＬＣＤ等の表示装置を具備したＩＰ電話機である。図１には、ＩＰ電話機が（ａ）から（ｄ）までの４台示されているが、台数は任意である。ＩＰ電話機３０〜３３とＩＰ電話機制御装置１０とはネットワーク中継機２０を介してＬＡＮ（例えばイーサネット(登録商標)）などのネットワーク４０，４１により接続されている。
【００２１】
以上、ＩＰ電話機システムの構成を述べたが、それぞれの構成要素は当業者にとってよく知られているので、その詳細な構成の説明は省略する。
【００２２】
［動作の説明］
次に図１のＩＰ電話機システム１００が本発明の実施形態による消費電力削減方法を実施する際の動作を、図２〜図４に示すフローチャートを使用して説明する。
【００２３】
１．スリープ状態への移行（図２参照）
図１に示す構成の通り、ＥＥＥに対応したＩＰ電話機（ａ）〜（ｄ）と、ＥＥＥに対応したネットワーク中継機２０をＬＡＮケーブルで接続すると、まずお互いがＥＥＥに対応しているかどうか等のネゴシエーションが、ＩＰ電話機（ａ）〜（ｄ）とネットワーク中継機２０の間で行われる（ステップＳ１０）。
【００２４】
ネゴシエーションが完了すると、ＩＰ電話機（ａ）〜（ｄ）はＬＬＤＰ(Link Layer Discovery Protocol)を使って自電話機に関するＥＥＥ対応の可否、ポート番号、復旧時間などの機器情報をネットワーク中継機２０に通知する（ステップＳ１２）。
【００２５】
ネットワーク中継機２０は、自身のポート番号とそこに接続されたＩＰ電話機（ａ）〜（ｄ）の機器情報（ＥＥＥ対応可否、ポート番号、復旧時間等）を、ＬＬＤＰを使ってＩＰ電話機制御装置１０に通知する（ステップＳ１４）。
【００２６】
ＩＰ電話機制御装置１０はネットワーク中継機２０から取得した機器情報から、ＩＰ電話機が２台以上接続されているかどうかを確認する（ステップＳ１６）。
【００２７】
ＩＰ電話機が２台以上接続されていないならば、ステップＳ１４に戻る。ＩＰ電話機が２台以上接続されているならば、ＩＰ電話機制御装置１０は接続されているＩＰ電話機の中からスリープ状態への移行を許可しないＩＰ電話機を少なくとも１台、好ましくは１台決定する（ステップＳ１８）。図２では、例としてＩＰ電話機（ａ）がスリープへの移行不可と決定されている。
【００２８】
ＩＰ電話機制御装置１０は、スリープ状態への移行を許可しないＩＰ電話機（ａ）以外のＩＰ電話機（ｂ）〜（ｄ）に対し、スリープ状態への移行許可を通知する（ステップＳ２０）。この際、スリープ状態への移行を許可しないＩＰ電話機（ａ）に対して、スリープ状態への移行不許可を通知する。各ＩＰ電話機（ａ）〜（ｂ）は、ＩＰ電話機制御装置１０から通知された移行許可／不許可情報を表すフラグを、電話機内部の記憶装置に格納している。ＩＰ電話機制御装置１０からスリープ状態への移行許可を通知されたら、そのフラグの値を移行許可を示す値に設定する。ＩＰ電話機制御装置１０からスリープ状態への移行不許可を通知されたら、そのフラグの値を移行不許可を示す値に設定する。
【００２９】
ネットワーク中継機２０の各ポートとそれに接続された各ＩＰ電話機（ａ）〜（ｄ）との間にデータのやり取り（データ伝送）が無くなると（ステップＳ２２でＹＥＳ）、ＥＥＥ規格に従ってそのネットワークをアイドル状態に移行させる（ステップＳ２４）（ＥＥＥ規格に準拠した動作）。尚、ＥＥＥによるネットワークアイドル状態への移行は、スリープ状態が許可されていないＩＰ電話機（ａ）でも実行され得る。
【００３０】
ネットワーク中継機２０は、或るネットワークがアイドル状態へ移行すると、アイドル状態となったポートの情報をＬＬＤＰによってＩＰ電話機制御装置１０に通知する（ステップＳ２６）。
【００３１】
各ＩＰ電話機(a)〜(d)は、スリープ状態への移行許可／不許可情報を格納したフラグの内容を参照して、自身がスリープ状態への移行を許可されているか否か判断する（ステップＳ２８）。スリープ状態が許可されているＩＰ電話機（ｂ）〜（ｄ）（ステップＳ２８でＹＥＳ）は、ネットワークがアイドル状態になったことを検知すると、自身をスリープ状態へ移行する（ステップＳ３０）。これにより、ＥＥＥでアイドル状態となっているＰＨＹ以外の機能、及びアプリケーションの一部または全ても停止され消費電力が削減される。
【００３２】
スリープ状態となったＩＰ電話機（ｂ）〜（ｄ）は、表示装置にスリープ状態であることを表示することにより使用者に通知する（ステップＳ３２）。
【００３３】
スリープ状態が許可されていないＩＰ電話機（ａ）（ステップＳ２８でＮｏ）は、通常状態に維持される（ステップＳ３４）。
【００３４】
２．スリープ状態での着信（図３参照）
ＩＰ電話機（ｂ）〜（ｄ）がスリープ状態にあるとき（ステップＳ４０）、着信が有ると（ステップＳ４２でＹＥＳ）、ＩＰ電話機制御装置１０は宛先を確認し（ステップＳ４４）、宛先ＩＰ電話機がスリープ状態か否かを確認する（ステップＳ４６）。この際、ＩＰ電話機制御装置１０は、例えば、宛先のネットワークがアイドル状態か否かの情報と、宛先ＩＰ電話機がスリープ状態を許可されているか否かの情報とに基づいてスリープ状態か否かを判断する。
【００３５】
着信の宛先がスリープ状態を許可されていないＩＰ電話機（ａ）であった場合、ＩＰ電話機制御装置１０は通常通り着信の通知を宛先に送り（ステップＳ４８）、宛先のＩＰ電話機（ａ）は着信動作を行う（ステップＳ５０）（通常動作）。
【００３６】
着信の宛先がスリープ状態のＩＰ電話機（ｘ）（ｘはｂ又はｃ又はｄ）であった場合、ＩＰ電話機制御装置１０はまず宛先のＩＰ電話機（ｘ）に着信を通知するデータを送信する（ステップＳ５２）。
【００３７】
着信通知データがネットワーク中継機２０を通り宛先ＩＰ電話機（ｘ）へ送られることにより、その間のネットワークがアイドル状態からアクティブ状態へ復旧する（ＥＥＥ規格に準拠した動作）。そして、宛先ＩＰ電話機（ｘ）はネットワークがアクティブ状態になったことを検知すると、スリープ状態からの復旧を開始する（ステップＳ５４）。
【００３８】
ＩＰ電話機制御装置１０は、宛先ＩＰ電話機（ｘ）がスリープ状態から復旧するまでの代理として、スリープ状態が許可されていないＩＰ電話機（ａ）に着信を転送する（ステップＳ５６）。この際、スリープ状態への移行を許可されたＩＰ電話機が２台以上ある場合には、ＩＰ電話機制御装置１０が１台を選択して着信を転送する。例えば、移行許可されたＩＰ電話機のうち、予め各ＩＰ電話機に割り当てておいた優先度が最も高いものに着信を転送するようにしてもよい。
【００３９】
着信が転送された代理ＩＰ電話機（ａ）は着信動作を開始すると同時に、表示装置に代理着信であることを表示し使用者に通知する（ステップＳ５８）。
【００４０】
代理ＩＰ電話機（ａ）が着信動作をしているとき、使用者が代理ＩＰ電話機（ａ）に対して応答動作をした場合は（ステップＳ６０でＹＥＳ）、そのまま通話が開始される（ステップＳ６２）。
【００４１】
代理ＩＰ電話機（ａ）にて応答が無い状態で、本来の宛先ＩＰ電話機（ｘ）がスリープ状態から通常状態に復旧すると、宛先ＩＰ電話機（ｘ）はＩＰ電話機制御装置１０に対し復旧完了を通知する（ステップＳ６４でＹＥＳ）。
【００４２】
ＩＰ電話機制御装置１０は、復旧完了通知を受け取ると、宛先ＩＰ電話機（ｘ）へ着信を転送し、代理ＩＰ電話機（ａ）の着信を解除する（ステップＳ６６）。
【００４３】
宛先ＩＰ電話機（ｘ）は着信動作をし（ステップＳ６８）、使用者の応答があれば（ステップＳ７０でＹＥＳ）、通話を開始する（ステップＳ７２）。
【００４４】
３．スリープ状態での電話機操作（図４参照）
スリープ状態のＩＰ電話機（ｂ）〜（ｄ）に対し、使用者がダイヤルボタン押下等の何かしらの操作を行い、それをＩＰ電話機が検知すると（ステップＳ８２）、ＩＰ電話機（ｘ）（ｘはｂ又はｃ又はｄ）はスリープ状態からの復旧を開始する（ステップＳ８４）。
【００４５】
復旧中、ＩＰ電話機（ｘ）は、その表示装置に復旧中であることを表示することにより使用者へ通知する（ステップＳ８６）。
【００４６】
ＩＰ電話機（ｘ）は復旧が完了すると（ステップＳ８８）、ＩＰ電話機制御装置１０に対し、スリープ状態から復旧したことを通知する（ステップＳ９０）。これはＩＰ電話機（ｘ）からネットワーク中継機２０にデータが伝送されることであり、この動作により、ネットワーク中継機２０とＩＰ電話機（ｘ）間でアイドル状態であったネットワークをアクティブ状態にすることも同時に行っている（ＥＥＥ規格に準拠した動作）。
【００４７】
復旧が完了すると、ＩＰ電話機（ｘ）は表示装置に復旧が完了したことを表示し、通常状態に戻ったことを使用者へ通知する（ステップＳ９２）。ＩＰ電話機（ｘ）は復旧後、使用者からの操作に対して通常動作を行う。
【００４８】
以上のように、上記実施形態では、（ｉ）ＩＰ電話機を制御しているＩＰ電話機制御装置が、ネットワーク中継機からＬＬＤＰを用いて配下のＩＰ電話機の状態を認識し、（ｉｉ）ＩＰ電話機は、ＥＥＥによってＰＨＹがアイドル状態になると、ＰＨＹの状態を検知し自身もスリープ状態となり消費電力を下げ、ただし、システム全体のＩＰ電話機のうち、最低１台は通常状態を保ち、（ｉｉｉ）いずれかのＩＰ電話機に着信があった場合、ＩＰ電話機制御装置は対象のＩＰ電話機に着信を知らせるデータを送信し、その際、対象電話機がスリープ状態であった場合、スリープ状態から通常状態に復旧するまでの時間は着信を受けられないため、通常状態を保っていたＩＰ電話機へ着信を転送し、（ｉｖ）転送先のＩＰ電話機が通話を開始する前に対象電話機が通常状態に復旧したならば、着信を対象電話機に戻す。
【００４９】
上記実施形態には以下の利点がある。
・ＥＥＥよるＰＨＹの消費電力削減に加え、ＩＰ電話機本体の消費電力を削減できる。
・機器状態などの情報の機器間での通知が、ＥＥＥで使用しているＬＬＤＰを用いることにより容易に実現できる。
・ＥＥＥのアイドル状態に合わせてＩＰ電話機をスリープ状態にすることで、状態変更のトリガーを新たに生成し、制御する必要がない。
・送信されたデータに対し遅延時間が厳しいＩＰ電話機において、追加バッファ等を実装することなく復旧時間の長いスリープ状態にすることが可能となる。
【００５０】
以上説明したように、本実施形態においては以下に記載するような効果を奏する。
【００５１】
第１の効果は、着信などの送信されてくるデータに対し、常に短い遅延時間で対応することが必要とされているＩＰ電話機において、復旧時間の長いスリープ状態への移行を可能とし、大幅に消費電力を削減できることにある。
【００５２】
第２の効果は、規格化されているＥＥＥを利用することにより、システムへの組み込み及び制御が容易に行えることである。
【００５３】
第３の効果は、既存システムに対しハード的な変更、追加が全く必要ないことである。
【００５４】
なお、上記のＩＰ電話機、ＩＰ電話機制御装置及びＩＰ電話機システムは、ハードウェア、ソフトウェア又はこれらの組合わせにより実現することができる。また、上記のＩＰ電話機、ＩＰ電話機制御装置又はＩＰ電話機システムにより行なわれる消費電力削減方法も、ハードウェア、ソフトウェア又はこれらに組合わせにより実現することができる。ここで、ソフトウェアによって実現されるとは、コンピュータがプログラムを読み込んで実行することにより実現されることを意味する。
【００５５】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体（transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５６】
上記の実施形態の一部又は全部は、以下の付記のようにも記載されうるが、以下には限られない。
【００５７】
（付記１）
ネットワークに接続された複数のＩＰ電話機の消費電力削減方法であって、前記複数のＩＰ電話機のうち少なくとも１台を除き、前記ネットワークがアイドル状態に移行したことを検知すると、自身の電話機本体をスリープ状態に移行させるステップを含む消費電力削減方法。
【００５８】
（付記２）
前記ＩＰ電話機のうち少なくとも１台にはスリープ状態への移行を許可せず、それ以外には許可するステップを更に含み、スリープ状態への移行が許可されているＩＰ電話機に対して前記移行させるステップを実行することを特徴とする付記１に記載の消費電力削減方法。
【００５９】
（付記３）
スリープ状態にあるＩＰ電話機に対する着信を検知すると、該ＩＰ電話機にスリープ状態からの復旧を開始させると共に、スリープ状態にないＩＰ電話機に着信を転送し、転送先での通話開始前に前記復旧が完了すれば、復旧したＩＰ電話機に前記着信の転送先を替えるステップを更に含むことを特徴とする付記１又は２に記載の消費電力削減方法。
【００６０】
（付記４）
スリープ状態にあるＩＰ電話機が使用者からの電話機操作を検知すると、スリープ状態からの復旧を開始するステップを更に含むことを特徴とする付記１乃至３のいずれか１に記載の消費電力削減方法。
【００６１】
（付記５）
前記アイドル状態への移行がＩＥＥＥ８０２．３ａｚ規格に従って行われることを特徴とする付記１乃至４のいずれか１に記載の消費電力削減方法。
【００６２】
（付記６）
ネットワークに接続された複数のＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する複数のＩＰ電話機と、
前記複数のＩＰ電話機のうち少なくとも１台にはスリープ状態への移行を許可せず、それ以外には許可するＩＰ電話機制御装置と、
を備えるＩＰ電話機システム。
【００６３】
（付記７）
前記ＩＰ電話機制御装置は、スリープ状態にあるＩＰ電話機に対する着信を検知すると、該ＩＰ電話機にスリープ状態からの復旧を開始させると共に、スリープ状態にないＩＰ電話機に着信を転送し、転送先での通話開始前に前記復旧が完了すれば、復旧したＩＰ電話機に前記着信の転送先を替えることを特徴とする付記６に記載のＩＰ電話機システム。
【００６４】
（付記８）
前記複数のＩＰ電話機は、スリープ状態にあるとき使用者からの電話機操作を検知すると、スリープ状態からの復旧を開始することを特徴とする付記６又は７に記載のＩＰ電話機システム。
【００６５】
（付記９）
前記アイドル状態への移行がＩＥＥＥ８０２．３ａｚ規格に従って行われることを特徴とする付記６乃至８のいずれか１に記載のＩＰ電話機システム。
【００６６】
（付記１０）
前記ネットワークに接続されたネットワーク中継機をさらに備え、前記ネットワーク中継機と前記複数のＩＰ電話機又は前記ＩＰ電話機制御装置との間で、ＬＬＤＰを用いて情報通信を行うことを特徴とする付記６乃至９のいずれか１に記載のＩＰ電話機システム。
【００６７】
（付記１１）
前記ネットワーク中継機は、前記ネットワークがアイドル状態になると前記ＩＰ電話機制御装置にその旨通知することを特徴とする付記１０に記載のＩＰ電話機システム。
【００６８】
（付記１２）
ネットワークに接続されたＩＰ電話機であって、スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持するＩＰ電話機。
【００６９】
（付記１３）
前記スリープ状態への移行の許可はＩＰ電話機制御装置により与えられ、前記ＩＰ電話機制御装置は前記ＩＰ電話機のうち少なくとも１台にはスリープ状態への移行を許可せず、それ以外には許可することを特徴とする付記１２に記載のＩＰ電話機。
【００７０】
（付記１４）
前記ＩＰ電話機制御装置が、スリープ状態にあるＩＰ電話機に対する着信を検知したとき、（ｉ）自身がスリープ状態にない場合、前記ＩＰ電話機制御装置から転送された着信を受け、（ｉｉ）自身がスリープ状態にある場合、スリープ状態からの復旧を前記ＩＰ電話機制御装置から指示されると、スリープ状態からの復旧を開始し、前記着信を受けたスリープ状態にない他のＩＰ電話機の通話開始前に前記復旧が完了すれば、自身へ転送替えされた着信を受けることを特徴とする付記１３に記載のＩＰ電話機。
【００７１】
（付記１５）
スリープ状態において使用者からの電話機操作を検知すると、スリープ状態からの復旧を開始することを特徴とする付記１２乃至１４のいずれか１に記載のＩＰ電話機。
【００７２】
（付記１６）
前記アイドル状態への移行がＩＥＥＥ８０２．３ａｚ規格に従って行われることを特徴とする付記１２乃至１５のいずれか１に記載のＩＰ電話機。
【００７３】
（付記１７）
ネットワークに接続された複数のＩＰ電話機のうち少なくとも１台には、前記ネットワークがアイドル状態に移行したことを検知した場合にスリープ状態に移行することを許可せず、それ以外のＩＰ電話機には許可するＩＰ電話機制御装置。
【００７４】
（付記１８）
スリープ状態にあるＩＰ電話機に対する着信を検知すると、該ＩＰ電話機にスリープ状態からの復旧を開始させると共に、スリープ状態にないＩＰ電話機に着信を転送し、転送先での通話開始前に前記復旧が完了すれば、復旧したＩＰ電話機に前記着信の転送先を替えることを特徴とする付記１７に記載のＩＰ電話機制御装置。
【００７５】
（付記１９）
前記アイドル状態への移行がＩＥＥＥ８０２．３ａｚ規格に従って行われることを特徴とする付記１７又は１８に記載のＩＰ電話機制御装置。
【００７６】
（付記２０）
前記ネットワークに接続されたネットワーク中継機からＬＬＤＰに基づいてＩＰ電話機の機器情報が通知されることを特徴とする付記１７乃至１９のいずれか１に記載のＩＰ電話機制御装置。
【００７７】
（付記２１）
前記ネットワーク中継機から前記ネットワークがアイドル状態になった通知を受けることを特徴とする付記２０に記載のＩＰ電話機制御装置。
【００７８】
（付記２２）
ネットワークに接続されたＩＰ電話機の消費電力削減プログラムであって、
コンピュータに、
スリープ状態への移行が許可されている場合には、前記ネットワークがアイドル状態に移行したことを検知すると、自身の電話機本体をスリープ状態に移行させ、スリープ状態への移行が許可されていない場合には、通常状態を維持する機能を実現させる消費電力削減プログラム。
【００７９】
（付記２３）
前記コンピュータに、更に
ＩＰ電話機制御装置が、スリープ状態にあるＩＰ電話機に対する着信を検知したとき、（ｉ）自身がスリープ状態にない場合、前記ＩＰ電話機制御装置から転送された着信を受け、（ｉｉ）自身がスリープ状態にある場合、スリープ状態からの復旧を前記ＩＰ電話機制御装置から指示されると、スリープ状態からの復旧を開始し、前記着信を受けたスリープ状態にない他のＩＰ電話機の通話開始前に前記復旧が完了すれば、自身へ転送替えされた着信を受ける機能を実現させることを特徴とする付記２２に記載の消費電力削減プログラム。
【００８０】
（付記２４）
前記コンピュータに、更に
スリープ状態において使用者からの電話機操作を検知すると、スリープ状態からの復旧を開始する機能を実現させることを特徴とする付記２２又は２３に記載の消費電力削減プログラム。
【００８１】
（付記２５）
前記アイドル状態への移行がＩＥＥＥ８０２．３ａｚ規格に従って行われることを特徴とする付記２２乃至２４のいずれか１に記載の消費電力削減プログラム。
【００８２】
（付記２６）
ネットワークに接続された複数のＩＰ電話機の消費電力削減プログラムであって、
コンピュータに、
前記複数のＩＰ電話機のうち少なくとも１台には、前記ネットワークがアイドル状態に移行したことを検知した場合にスリープ状態に移行することを許可せず、それ以外のＩＰ電話機には許可する機能を実現させる消費電力削減プログラム。
【００８３】
（付記２７）
前記コンピュータに、更に
スリープ状態にあるＩＰ電話機に対する着信を検知すると、該ＩＰ電話機にスリープ状態からの復旧を開始させると共に、スリープ状態にないＩＰ電話機に着信を転送し、転送先での通話開始前に前記復旧が完了すれば、復旧したＩＰ電話機に前記着信の転送先を替える機能を実現させることを特徴とする付記２６に記載の消費電力削減プログラム。
【００８４】
（付記２８）
前記アイドル状態への移行がＩＥＥＥ８０２．３ａｚ規格に従って行われることを特徴とする付記２６又は２７に記載の消費電力削減プログラム。
【符号の説明】
【００８５】
１０  ＩＰ電話機制御装置
２０  ネットワーク中継機
３０  ＩＰ電話機（ａ）
３１  ＩＰ電話機（ｂ）
３２  ＩＰ電話機（ｃ）
３３  ＩＰ電話機（ｄ）
４０  ＬＡＮ
４１  ＬＡＮ
【図１】
2014123876.tif 000003
【図２】
2014123876.tif 000004
【図３】
2014123876.tif 000005
【図４】
2014123876.tif 000006